(57)【要約】      （修正有）【課題】回路取付領域の幅を変更しないで、液晶ディスプレイスクリーンの幅を増大するインテリジェント蓄電池に関わる上蓋結構を提供する。【解決手段】上蓋本体１の上表面は、回路取付領域と端子取付領域１３を含み、回路取付領域は、カバー２が固定して被せられ、液晶ディスプレイスクリーンと回路基板は、順次、カバー２の天板の内側面に取り付けられ、液晶ディスプレイスクリーンの一端は、カバー２に相応している側板の間に導電性粘着テープを設け、回路基板には、導電性粘着テープの底部と対応して接触して電気的に接続する銅クラッドによって形成した接続端子を設け、天板は、外向きで下向きに傾斜している斜板となる。斜板は、より大きな取り付けの面積を有し、それによって、より大きな面積がある液晶ディスプレイスクリーンを相応に設置でき、更に液晶ディスプレイスクリーンの表示効果を優れたものになさせる。【選択図】図１
0003202491.tif 000002
【実用新案登録請求の範囲】
【請求項１】
インテリジェント蓄電池に関わる上蓋結構に関し、
それは、その上表面に設けられた液添加タンクを持つ上蓋本体１を含み；
前記上蓋本体１の上表面には、回路取付領域１２と端子取付領域１３を設置しており；  
前記回路取付領域１２には、カバー２が固定して被せられ；  
インテリジェント蓄電池の回路基板３と液晶ディスプレイスクリーン４とは、順次及び平らに、前記カバー２の天板２１の内側面に取り付けられ；  
導電性粘着テープ５が、前記液晶ディスプレイスクリーン４の一端と前記カバー２の相応する側板の間に設けられ；  
前記回路基板３には、電気的に接続するために前記導電性粘着テープ５の底部と対応して接触し、銅クラッドによって形成した接続端子３１を設け；  
前記天板２１は、外向きで下向きに傾斜している斜板であることを特徴とする、インテリジェント蓄電池に関わる上蓋結構。
【請求項２】
前記斜板と前記上蓋本体１の底部平面間の傾斜角は、５〜１５度である請求項１に記載のインテリジェント蓄電池に関わる上蓋結構。
【請求項３】
前記液晶ディスプレイスクリーン４と前記回路基板３は、前記斜板に垂直に、厚さ方向をもち；  
前記導電性粘着テープ５と前記液晶ディスプレイスクリーン４の相応する側面が、お互い平坦に並置され；  
前記回路基板３の縁と前記導電性粘着テープ５の底部に相当する前記回路基板３の部分との間に隙間があることを特徴とする請求項１に記載のインテリジェント蓄電池に関わる上蓋結構。
【請求項４】
前記端子取付領域１３は、二つあり；  
前記回路取付領域１２は、二つの前記端子取付領域の間に位置付けし；  
二つの端子取付領域１３に相当する回路取付領域１２の両端のそれぞれに取付台１４を設け；  
前記各々の取付台１４とそれぞれ相応する前記端子取付領域１３との間には、隙間を有し；  
各々の取付台１４は、別々に設置された１対の取付ブロック１４１を有し；  
この１対の取付ブロック１４１の間に、前記カバー２の両端のバーブ状の接続部２２を取り付けるための取付口１４２を有し；
前記バーブ状の接続部２２は、フックがアップしているバーブ２２１を備え；  
前記１対の取付ブロック１４１の各々は、その相応する側面に、前記バーブ２２１に相応するスロット１４１１を設け；
前記バーブ状の接続部２２は、前記取付台１４から突出する取付耳２２２を有し；
前記取付耳２２２の底部と前記回路取付領域１２の底面との間には隙間を有することを特徴とする請求項１に記載のインテリジェント蓄電池に関わる上蓋結構。
【請求項５】
前記カバー２の両端の端板は、前記バーブ状の接続部２２を受け止めるための欠口２３１を有し；
前記バーブ状の接続部２２は、わずかに内部へ引き込み、そして前記カバー２の天板２１に、凸縁を置き；
前記取付耳２２２の各々は、前記バーブ状の接続部２２の外側下部に局在的に位置付けされ；
前記取付耳２２２の各々と前記カバーの天板２１の間には隙間があることを特徴とする請求項４に記載のインテリジェント蓄電池に関わる上蓋結構。
【請求項６】
前記回路取付領域１２の底面は、相応する取付口１４２から相応する前記端子取付領域１３に各々伸びる配線ダクト１２１が設けられ； 
前記取付耳２２２は、それぞれ相応する前記配線ダクト１２１をカバーし、しかも、前記取付耳２２２の底部の各々は、前記配線ダクト１２１に相応する円弧状の凹部を設けることを特徴とする請求項４に記載のインテリジェント蓄電池に関わる上蓋結構。
【考案の詳細な説明】
【技術分野】
【０００１】
本考案は、インテリジェント蓄電池に関し、特に、インテリジェント蓄電池の上蓋結構に関する。
【背景技術】
【０００２】
現在のインテリジェント蓄電池は、その構造が一般的に電池本体と前記電池本体の頂部開口処に設けられた蓋を含み、前記電池の上蓋は、一般的に３つの領域を分け、一つの部分は、加液領域となり、一つの部分は、端子取付領域となり、他の一つの部分は、回路取付領域となる。前記加液領域は、一般的に液添加タンクに設けられ、前記液添加タンクは、電池の幅方向の一側に配置され、その長さが、約電池上蓋の長さと同じで、加液領域は、占められた幅が前記電池上蓋の幅の半分となって或いは略長くなっていて、回路取付領域と二つの端子取付領域は、前記電池上蓋の幅方向の他の一側に分布され、二つの端子取付領域は、それぞれ回路取付領域の両端に位置され、前記回路取付領域と二つの端子取付領域との全幅も電池上蓋の長さと同じである。
【０００３】
前記回路取付領域は、カバーが固定して被せられ、インテリジェント蓄電池の回路基板は、前記回路取付領域に設けられ、インテリジェント蓄電池の液晶ディスプレイスクリーンは、前記カバーの天板の内側面に取り付けられ、導電性粘着テープが、前記液晶ディスプレイスクリーンの一端と前記カバーの相応する側板の間に設け、前記回路基板は、前記導電性粘着テープの底部と対応して接触して電気的に接続することを行っていた銅クラッドによって形成した接続端子を設ける。このようなカバーは、その天板が前記回路取付領域の底部と平行する平板状な構造を呈し、そのような平板状な天板は、２つ欠点があった。
１．前記回路取付領域の幅に限ったので、前記天板の幅は、前記回路取付領域の幅と相応し、前記液晶ディスプレイスクリーンの取り付け幅は、天板の幅に限られ、したがって、前記液晶ディスプレイスクリーンの最大取り付け幅は、前記回路取付領域の幅が前記カバーに対応する側面の壁の厚さを引いたものとなり、前記液晶ディスプレイスクリーンの幅はより小さく、ディスプレイの効果が比較的劣った。
２．図７に示すように、前記回路基板３の上にある銅クラッドによって形成した接続端子が、基板を切る時に、突き出て脱離するのを防止するため、接続端子３１が前記回路基板３の縁と一定の距離を必要とし、一般的に約０.４ミリメートルである。カバーによって、平板状の天板が、導電性粘着テープの底部と前記回路基板３の縁の配置を整列させる（図６に示すように）。したがって、この０.４ミリメートルの距離は、導電性粘着テープと接続端子３１との間の接触の信頼性に影響を与え、更に両者間の電気接続の信頼性に影響する。
この点を考えて、本考案者は、現在のインテリジェント蓄電池に関わる上蓋によって生じる上述した問題を深く研究し、インテリジェント蓄電池に関わる上蓋結構の改良を提出した。
【考案の概要】
【考案が解決しようとする課題】
【０００４】
本考案の目的は、インテリジェント蓄電池に関わる上蓋結構の改良を提供し、回路取付領域の幅を変更しない状況で、液晶ディスプレイスクリーンの取り付けの幅を増大することができ、液晶ディスプレイスクリーンの幅を大きくさせ、それにより、ディスプレイが優れている効果を提供する。
【０００５】
本考案の他の一つの目的は、インテリジェント蓄電池に関わる上蓋結構の改良を提供し、導電性粘着テープの底部は、回路基板の縁から離され、回路基板に相応する銅クラッドによって形成した接続端子の大面積と、信頼をもって接触できる。
【課題を解決するための手段】
【０００６】
上述した目的を実現するために、本考案は、以下の技術的改良を提供する：
インテリジェント蓄電池に関わる上蓋結構の改良に関し、それは、その上表面に設けられた液添加タンクを持つ上蓋本体を含み、前記上蓋本体の上表面は、回路取付領域と端子取付領域を設置する。前記回路取付領域には、カバーが固定して被せられ、インテリジェント蓄電池の回路基板と液晶ディスプレイスクリーンは、順次及び平らに、前記カバーの天板の内側面に取り付けられ、導電性粘着テープが、前記液晶ディスプレイスクリーンの一端と前記カバーの相応する側板の間に設けられ、前記回路基板には、電気的に接続するために前記導電性粘着テープの底部と対応して接触し、銅クラッドによって形成した接続端子を設け、前記天板は、外向きで下向きに傾斜している斜板である。
【０００７】
前記斜板と前記上蓋本体の底部平面間の傾斜角は、５〜１５度とする。
【０００８】
前記液晶ディスプレイスクリーンと前記回路基板は、前記斜板に垂直に、厚さ方向を持ち、前記導電性粘着テープと前記液晶ディスプレイスクリーンの相応する側面が、お互い平坦に並置され、前記回路基板の縁と前記導電性粘着テープの底部に相当する前記回路基板の部分との間に隙間がある。
【０００９】
前記端子取付領域は、二つあり；  前記回路取付領域は、二つの前記端子取付領域の間に位置付けし；  二つの端子取付領域に相当する回路取付領域の両端のそれぞれに取付台を設け；  前記各々の取付台とそれぞれ相応する前記端子取付領域との間には、隙間を有し；  各々の取付台は、別々に設置された１対の取付ブロックを有し；  この１対の取付ブロックの間に、前記カバーの両端のバーブ状の接続部を取り付けるための取付口を有し；  前記バーブ状の接続部は、フックがアップしているバーブを備え；  前記１対の取付ブロックの各々は、その相応する側面に、前記バーブに相応するスロットを設け；  前記バーブ状の接続部は、前記取付台から突出する取付耳を有し；  前記取付耳の底部と前記回路取付領域の底面との間には隙間を有する。
【００１０】
前記カバーの両端の端板は、前記バーブ状の接続部を受け止めるための欠口を有し、前記バーブ状の接続部は、わずかに内部へ引き込み、前記カバーの天板に、凸縁を置き、前記取付耳の各々は、前記バーブ状の接続部の外側下部に局在的に位置付けされ、前記取付耳の各々と前記カバーの天板の間には隙間がある。
【００１１】
前記回路取付領域の底面は、相応する取付口から相応する前記端子取付領域に各々伸びる配線ダクトが設けられ；  前記取付耳は、それぞれ相応する前記配線ダクトをカバーし、しかも、前記取付耳の底部の各々は、前記配線ダクトに相応する円弧状の凹部を設ける。
【００１２】
上述した考案を採用した、本考案のインテリジェント蓄電池に関わる上蓋結構の改良は、その電池取り付け位置のカバーの天板が外向きで下向きに傾斜している斜板である。従来技術によって設置された平板と比較して、本考案の外向きで下向きに傾斜している斜板は、より大きな取り付け面積を有し、それによって、より大きな面積がある液晶ディスプレイスクリーンを相応に設置でき、更に液晶ディスプレイスクリーンの表示効果を優れさせる。同時に、斜板の設計は、回路基板がより大きな設計面積を有し、それによって更に便利に必要な器具を配置することができ或いは、機能を広げる可能性があり、また、技術の要求を下げることができ、例えば、配線の幅と配線の間隔距離等、そして、生産コストを下げることができる。
【００１３】
更に、本考案において、液晶ディスプレイスクリーンの厚さ方向は、斜板に垂直しており、導電性粘着テープと液晶ディスプレイスクリーンの相応する側面は、相互に平坦に設置される。前記回路基板の縁と前記導電性粘着テープの底部に相当する前記回路基板の部分との間には、隙間があり、即ち、前記導電性粘着テープは、前記回路基板の縁から離れ、前記回路基板上の銅クラッドによって形成した接続端子との間で、広い面積で、信頼性ある接触をし、それによって、前記導電性粘着テープと接続端子との電気接続に信頼性を向上させる。
【００１４】
更に、本考案は、バーブ状の接続部が容易に押すことができ、取付台にフックでき、しかも、前記バーブ状の接続部は、前記取付台からのびる取付耳を有し、前記取付耳と対応する前記端子取付領域との間には隙間を有し、それによって、電池に端子を取り付けた後、直接にツールをこの隙間に挿入することができ、取付耳を押してバーブをスロットから離し、カバーの取り外しが容易にできる。
【００１５】
更に、本考案は、前記カバーの両端の端板は、前記バーブ状の接続部を受け入れるための欠口を有し、前記バーブ状の接続部は、わずかに内部へ引き込まれ、前記カバーの天板に、凸縁を設置する。前記取付耳の各々は、前記バーブ状の接続部の外側下部に位置付けされ、前記取付耳各々と前記カバーの天板の間に隙間がある。該取付耳を下に押すために、ツールを、前記取付耳と該端子との隙間から挿入し、ツールを前記取付耳とカバーの天板との間の隙間内に上向きに引き上げ、ツールが前記カバーの天板の凸縁に当たった後、カバーはてこで上がらせ、取付台から離させる。その取り外しは簡単で便利であって、電池端子を取り付けた後、電池端子が当たってフックされることによるカバーを取り外せないリスクを避けることができる。
【００１６】
更に、前記回路取付領域の底面は、相応する取付口１４２から相応する前記端子取付領域に各々伸びる配線ダクトが設けられ、前記取付耳は、それぞれ相応する前記配線ダクト１２１をカバーし、しかも、前記取付耳の底部の各々は、前記配線ダクトに相応する円弧状の凹部を設ける。前記取付耳は、前記配線ダクト中の導線を覆い前記導線を保護する役割を果たすだけでなく、電池上蓋の外観を美しくさせる作用がある。
【図面の簡単な説明】
【００１７】
【図１】本考案の結構を示す図である。
【図２】本考案に関わる上蓋本体の結構を示す図である。
【図３】本考案に関わるカバーの結構を示す図である。
【図４】本考案に関わるカバーの他の一角度の結構を示す図である。
【図５】本考案に関わるカバーと、導電性粘着テープと、回路基板との取り付けを示す図である。
【図６】従来の技術に関わるカバーと、導電性粘着テープと、回路基板との取り付けを示す図である。
【図７】本考案に関わる銅クラッドによっての回路基板表面の結構を示す図である。
【考案を実施するための形態】
【００１８】
本考案のインテリジェント蓄電池に関わる上蓋結構の改良は、図１〜５に示すように、その上表面に設けられた液添加タンクを持つ上蓋本体１を含み、前記液添加タンクは、カバー１１を備え、前記上蓋本体１の上表面は、回路取付領域１２と端子取付領域１３を設置する。
【００１９】
前記液添加タンクは、前記上蓋本体１の幅方向の一側に設けられ、その長さは、前記上蓋本体１の長さと略同じで、その幅は、前記上蓋本体１の幅の約２/３幅である。前記端子取付領域１３は、二つあって、前記回路取付領域１２は、二つの前記端子取付領域１３の間に位置付けされ、前記回路取付領域１２と前記端子取付領域１３は、前記上蓋本体１の幅方向の他の一側に設置され、前記回路取付領域１２と二つの前記端子取付領域１３との全ての長さは、前記上蓋本体１の長さと略同じである。
【００２０】
図１、図２、図５に示すように、前記回路取付領域１２には、カバー２が固定的に被せられ、インテリジェント蓄電池の回路基板３と液晶ディスプレイスクリーン４は、順次及び平らに、前記カバー２の天板２１の内側面に取り付けられ、前記天板２１は、外向きで下向きに傾斜している斜板であり、具体的には、前記天板２１と前記上蓋本体１の底部平面間の傾斜角は、５〜１５度とすることができる。
前記液晶ディスプレイスクリーン４と前記回路基板３の厚さ方向は、前記天板２１に垂直であり、前記液晶ディスプレイスクリーン４の左端は、定位階段（位置決め段部）に設置され、前記カバー２の左側板２２に面する前記定位階段の側面４１は、又、前記天板２１に垂直であり、前記定位階段と前記カバー２の左側板２２の間に導電性粘着テープ５が設置され、前記導電性粘着テープ５の相応する側は、前記定位階段の側面４１に平面的に並置され、前記回路基板３には、電気的に接続するために前記導電性粘着テープ５の底部と対応して接触し、銅クラッドによって形成した接続端子３１（図７に示すように）を設け、前記接続端子３１と前記回路基板３の相応する側辺（左側辺）の縁との間隔は、約０.４ミリメートルである。
前記天板２１は、傾斜設計であるため、より大きな取り付け面積を備え、それにより大きな液晶ディスプレイスクリーン４を設けることができ、それによって、前記液晶ディスプレイスクリーン４のディスプレイがより優れたものとなる。一方、前記導電性粘着テープ５の底部に相当する前記回路基板３の部分と前記回路基板３の縁との間には、隙間３２があり、前記天板２１の傾斜角度の適当な選択により、前記導電性粘着テープ５の底部は前記接続端子３１に完全に接続し、高い信頼性で電気的接続を行う。
【００２１】
取付台１４が、二つの端子取付領域１３の両端に相応して回路取付領域１２の両端の各々に設けられ、前記取付台１４の各々とその対応する前記端子取付領域１３との間には、隙間を有し、取付台１４の各々が、互いに分離しているよう設置された１対の取付ブロック１４１を有し、取付口１４２が、前記カバー２の両端の各々にバーブ状の接続部２２を取り付けるために、１対の取付ブロック１４１の各々の間に設置され、前記バーブ状の接続部２２は、フックがアップしているバーブ２２１を備え、前記１対の取付ブロック１４の各々は、その内側表面に、前記バーブ２２１に相応するスロット１４１１を設け、前記バーブ状の接続部２２は、前記取付台１４から延びる取付耳２２２を有し、前記取付耳２２２の外端と相応する前記端子取付領域１３との間に隙間（この隙間はより小さく、図は明らかにされていない）を有し、前記取付耳２２２の底部と前記回路取付領域１２の底面との間に隙間（図には示していない）を有する。
【００２２】
前記カバー２の両端の端板２３は、前記バーブ状の接続部２２を受け入れるための欠口２３１を有し、前記バーブ状の接続部２２は、僅かに内部へ引き込み、前記カバー２の天板２１に凸縁２１１を設け、前記取付耳２２２は、前記バーブ状の接続部２２の外側下部に位置付けされ、前記取付耳２２２と前記カバー２の天板２１の間に、隙間がある。
【００２３】
前記回路取付領域１２の底面は、相応する取付口１４２から相応する前記端子取付領域１３に各々伸びる配線ダクト１２１が設けられ、前記取付耳２２２は、それぞれ相応する前記配線ダクト１２１をカバーし、しかも、前記取付耳２２２の底部の各々は、前記配線ダクト１２１に相応する円弧状の凹部２２２１を設ける。前記取付耳２２２は、前記配線ダクト１２１中の導線を覆い前記導線を保護する役割を果たすだけでなく、電池上蓋の外観を美しくさせる作用がある。
【００２４】
本考案を使用する時、前記取付耳２２２をそれぞれ相応する取付口１４２に対して下向きに押して、前記バーブ状の接続部２２のバーブ２２１を押して前記取付ブロック１４１のスロット１４１１にフックし、そして前記カバー２の取り付けは完了する。端子を電池に取り付け、前記カバー２を外す時、直接にツールが前記カバー２と相応する前記端子取付領域１３との間の隙間から挿入され、前記取付耳２２２を下側に押すことで、前記バーブ２２１は前記スロット１４１１から離させ、そして、ツールを前記取付耳２２２とカバーの天板２１との間の隙間内に上向きに引きおこし、ツールが前記カバー２の天板２１の凸縁２１１に当たった後、順にカバー２を上向きにてこで上がらせ、取付台１４から離させることができ、その取り外しは簡単で便利である。
【００２５】
１上蓋本体
１１カバーシート
１２回路取付領域
１２１配線ダクト
１３端子取付領域
１４取付台
１４１取付ブロック
１４１１スロット
１４２取付口
２カバー
２１天板
２２左側板
２２バーブ状の接続部
２２１バーブ
２２２取付耳
２３１欠口
３回路基板
３１接続端子
４液晶ディスプレイスクリーン
４１側面
５導電性粘着テープ
【図１】
0003202491.tif 000003
【図２】
0003202491.tif 000004
【図３】
0003202491.tif 000005
【図４】
0003202491.tif 000006
【図５】
0003202491.tif 000007
【図６】
0003202491.tif 000008
【図７】
0003202491.tif 000009